(57)【要約】【課題】電気部品取付シャーシに取付けられた電気部品の温度上昇を抑制し、信頼性を向上できる誘導灯を提供することを目的とする。【解決手段】一面に開口部２１を有し、下側壁面２３に点滅表示部５が突出する開口窓２３ａが形成されたケース本体２と、開口部２１を覆うように取付けられた表示体３と、ケース本体２と表示体３の周縁部との間に介在された包囲手段３２と、前記ケース本体２に配設された電気部品取付シャーシ６と、この電気部品取付シャーシ６に取付けられ、前記表示体３と対向し前記包囲手段３２によって囲まれた領域に配設された点灯ユニット１１及びバッテリ１２を含む電気部品と、前記電気部品取付シャーシ６の背面側と連通するように、ケース本体２の開口窓２３ａと点滅表示部５との間に形成された通風口２３ｂとを備える誘導灯１である。【選択図】図２
2010257724.tif 000002
【特許請求の範囲】
【請求項１】
一面に開口部を有し、下側壁面に点滅表示部が突出する開口窓が形成されたケース本体と；
このケース本体の開口部を覆うように取付けられた表示体と；
ケース本体の背面側と表示体の周縁部との間に介在された包囲手段と；
前記ケース本体に配設され、前記開口部の面と略平行する面を有する電気部品取付シャーシと；
この電気部品取付シャーシに取付けられ、前記表示体と対向し前記包囲手段によって囲まれた領域に配設された光源を点灯制御する点灯ユニット及び非常用電源となるバッテリを含む電気部品と；
前記電気部品取付シャーシの背面側と連通するように、ケース本体の開口窓と点滅表示部との間に形成された通風口と；
を具備することを特徴とする誘導灯。
【請求項２】
前記電気部品取付シャーシには、光源を点灯制御する点灯ユニット、点滅表示部を点滅制御する点滅ユニット及びこれらの非常用電源となる各バッテリをそれぞれ点灯ユニット、点滅ユニットの近傍に配設したことを特徴とする請求項１に記載の誘導灯。
【発明の詳細な説明】
【技術分野】
【０００１】
本発明は、電気部品の温度上昇を抑制することができる誘導灯に関する。
【背景技術】
【０００２】
誘導灯には、光源を点灯制御する点灯ユニットや非常用電源となるバッテリ等の電気部品が搭載されているが、これら電気部品は、自己発熱及び周囲温度の上昇に起因して、短寿命化や特性劣化等の問題が生じる。したがって、これら電気部品の温度上昇を抑制する必要がある。
【０００３】
従来、この種、誘導灯において、誘導灯の本体外枠の形状や大きさに拘らず、部品収納ケースを共通ユニットとして使用するため、部品収納ケースに電子部品を機能毎に分離して固定するとともに、表示板及びランプを取付け、この部品収納ケースを本体外枠に固定するものが提案されている（特許文献１参照）。また、この特許文献１には、点滅ランプの点滅により、避難口の位置について注意を促す、点滅ランプの点滅装置が設けられている。
【先行技術文献】
【特許文献】
【０００４】
【特許文献１】２００２−３０４１４０号公報
【発明の概要】
【発明が解決しようとする課題】
【０００５】
しかしながら、上記のような従来の誘導灯では、部品収納ケースに固定された電子部品の温度上昇を抑制する手段が何ら講じられていない。したがって、部品の短寿命化や特性劣化等を来たす虞があり、信頼性を要する装置でありながら、その信頼性が劣るという問題が生じていた。
【０００６】
本発明は、上記課題に鑑みなされたもので、電気部品取付シャーシに取付けられた電気部品の温度上昇を抑制し、信頼性を向上できる誘導灯を提供することを目的とする。
【課題を解決するための手段】
【０００７】
請求項１に記載の誘導灯は、一面に開口部を有し、下側壁面に点滅表示部が突出する開口窓が形成されたケース本体と；このケース本体の開口部を覆うように取付けられた表示体と；ケース本体の背面側と表示体の周縁部との間に介在された包囲手段と；前記ケース本体に配設され、前記開口部の面と略平行する面を有する電気部品取付シャーシと；この電気部品取付シャーシに取付けられ、前記表示体と対向し前記包囲手段によって囲まれた領域に配設された光源を点灯制御する点灯ユニット及び非常用電源となるバッテリを含む電気部品と；前記電気部品取付シャーシの背面側と連通するように、ケース本体の開口窓と点滅表示部との間に形成された通風口と；を具備することを特徴とする。
【０００８】
本発明の誘導灯は、例えば、点滅表示部としてキセノンランプ等の点滅によって避難口の位置や避難方向を知らせ、誘導を行うものである。表示体は、例えば、誘導表示としてピクトグラムが表示された表示パネルが用いられる。表示体の周縁部とは、周縁端のみならず、所定範囲の幅を許容する部分を意味する。したがって、例えば、表示体の周縁端より所定範囲で内側に位置する部分も含まれる。
【０００９】
また、包囲手段とは、例えば、表示体に設けられたリブ状のものや表示体をケース本体に取付けるためにケース本体に設けられる枠部材等の手段である。この包囲手段は、ケース本体の背面側と表示体の周縁部との間に介在されていればよく、例えば、表示体に設けられたり、ケース本体に設けられたり、あるいは表示体とケース本体との間に別部材として配置される場合がある。要は、包囲手段によって囲まれる領域とその他の領域とを区画するように、これら領域間の連通性を阻害するような状態に作用する手段を意味する。
【００１０】
また、電気部品取付シャーシは、耐熱性を有する金属材料で形成されることが好ましいが、特段その材料に限定されるものではない。光源には、例えば、ＬＥＤや有機ＥＬ等の固体発光素子、冷陰極放電ランプが適用できる。
【００１１】
請求項２に記載の誘導灯は、請求項１に記載の誘導灯において、前記電気部品取付シャーシには、光源を点灯制御する点灯ユニット、点滅表示部を点滅制御する点滅ユニット及びこれらの非常用電源となる各バッテリをそれぞれ点灯ユニット、点滅ユニットの近傍に配設したことを特徴とする。
【発明の効果】
【００１２】
請求項１に記載の発明によれば、電気部品取付シャーシに取付けられ、包囲手段によって囲まれた領域に配設された点灯ユニット及び非常用電源となるバッテリを含む電気部品の温度上昇を効果的に抑制し、信頼性を向上できる誘導灯を提供することができる。
【００１３】
請求項２に記載の発明によれば、請求項１に記載の発明の効果に加え、点灯ユニット及び点滅ユニットのそれぞれのバッテリを近傍に配設したので、配線長を短くすることができ、配線を引き回して配線長が長くなるのを防止できる。
【図面の簡単な説明】
【００１４】
【図１】本発明の第１の実施形態に係る誘導灯を示す斜視図である。
【図２】同正面図、下側面図及び横側面図である。
【図３】同表示体を示す斜視図である。
【図４】同前面パネル及び表示体を取外して示す概略的な前面側構成図である。
【図５】同背面パネルを取外して示す概略的な背面側構成図である。
【図６】同作用を説明するため一部を切欠いて示す説明図である。
【図７】本発明の第２の実施形態に係る誘導灯を示す斜視図である。
【図８】同正面図、下側面図及び横側面図である。
【発明を実施するための形態】
【００１５】
以下、本発明の第１の実施形態に係る誘導灯について図１乃至図６を参照して説明する。なお、各図において、同一又は相当部分には同一符号を付し、重複した説明は省略する。
【００１６】
図１において、誘導灯１は、天井面や垂直な壁面等の設置面に設置されて使用可能なように構成されており、本実施形態では、誘導音付加点滅形の誘導灯を示している。非常時には、音声とキセノンランプ等の点滅によって避難口の位置や避難方向を的確に知らせ、誘導を行うものである。誘導灯１は、ケース本体２、このケース本体２の開口部２１を覆うように取付けられた表示体３及び前面パネル４、点滅表示部５を備えている。
【００１７】
まず、図３に代表して示すように、表示体３は、周縁部、すなわち、両側に表示面と直交する方向に包囲手段としてのリブ３２を有し、略矩形枠状の表示体ケース３１の内側に板状のアクリル樹脂製の導光板が配設されて構成されている。この導光板の表面側には、誘導表示として人が避難している状態を示すピクトグラムが表示された表示パネル３３が設けられており、表示体ケース３１は、ケース本体２の開口部２１を覆うように配設される。なお、表示体ケース３１の両側にリブ３２が設けられているのは、主として、誘導音付加点滅形ではない一般形の誘導灯の表示体と部品を共通化するためである。
【００１８】
前面パネル４は、略長方形状に形成され、表示体３の表示パネル３３が前面に現れるように矩形状の開口部を有し、表示体３と協働してケース本体２の開口部２１全面を覆うように取付けられている。また、前面パネル４には、スピーカカバー部４１が設けられている。
【００１９】
次に、ケース本体２について図２、図４及び図５を参照して説明する。なお、図２（ａ）は、右半分について表示体３及び前面パネル４を取除き、ケース本体２の内部を示しており、図４及び図５は、配線関係を省略して示している。ケース本体２は、板金製であり、上下側壁面２２、２３、左右側壁面２４、２５及び背面部としての背面パネル２６を有し、前面背面方向の寸法、つまり、厚さ寸法が小さく、一面を開口し、すなわち、前面側を開口部２１とした扁平な箱状に形成されている。
【００２０】
ケース本体２の内側には、開口部２１の面と略平行するように電気部品取付シャーシ６が配設されている。電気部品取付シャーシ６は、平板からなる板金製であり、適宜箇所に切欠部６１が形成されている。この電気部品取付シャーシ６には、電気部品が取付けられており、略中央の領域には、光源ユニット１０、点灯ユニット１１、点灯ユニット１１に接続されたバッテリ１２、点滅表示部５が設けられた点滅ユニット１３、点滅表示部用電源ユニット１４が取付けられており、また、電源用端子台１５及び信号用端子台１６が取付けられている。
【００２１】
さらに、電気部品取付シャーシ６の一側の領域には、音声ユニット１７、この音声ユニット１７に接続されたバッテリ１８が取付けられている。また、他側の領域には、スピーカ１９、点滅ユニット１３に接続されたバッテリ２０が取付けられている。なお、音声ユニット１７に接続されたバッテリ１８と、点滅ユニット１３に接続されたバッテリ２０とは、同じ形式のものが用いられている。
【００２２】
光源ユニット１０は、光源としてＬＥＤが用いられ、複数のＬＥＤが表面実装された細長状の基板を有し、この基板を保持する基板取付ホルダを備えている。基板は、ＬＥＤが実装された面を下方に向けた状態で電気部品取付シャーシ６の上部に取付けられている。したがって、ＬＥＤから出射された光は、表示体３の導光板の上端面、すなわち、入射面に入射するようになっている。
【００２３】
電源用端子台１５は、略箱状に形成され、外部の電源線や内部の配線コード等の芯線が挿入されて電気的に接続される複数の自己鎖錠形の端子を有している。また、信号用端子台１６は、略長箱状に形成され、この信号用端子台１６には外部の各種動作信号線と内部の点灯ユニット１１や点滅ユニット１３の信号線とが接続されるようになっている。
【００２４】
点灯ユニット１１は、光源を点灯制御する点灯回路を有し、バッテリ１２とともに点灯ユニットケースに収納されている。この点灯ユニット１１は、電源用端子台１５を介して電源線に接続され、その出力を光源ユニット１０のＬＥＤに供給し、常用点灯としてＬＥＤを点灯制御するとともにバッテリ１２を充電し、電源からの電力が遮断された非常時には、バッテリ１２の電力に切替えて非常点灯としてＬＥＤを点灯するようになっている。
【００２５】
点滅ユニット１３には、点滅表示部５が設けられている。点滅表示部５は、表示用の光源としてキセノンランプを有し、このキセノンランプは略台形状の透光性ランプカバーで覆われている。そして、この点滅表示部５は、ケース本体２の下側壁面２３の略中央部に形成された開口窓２３ａから外面側に突出している。さらに、図２（ｂ）及び図５に示すように、この開口窓２３ａは、点滅表示部５が対向する外形より大きく形成されており、具体的には、背面部側であって、点滅表示部５と開口窓２３ａとの間には、隙間が形成され、すなわち、通風口２３ｂが形成されるようになっている。この通風口２３ｂは、詳細を後述するように、電気部品取付シャーシ６の背面側と連通して空気が対流するようになっている。なお、表示用の光源としては、キセノンランプにかかわらず、他の光源を用いてもよい。
【００２６】
点滅表示部５は、非常時に自動火災報知設備と連動し、バッテリ２０からの電力で点滅ユニット１３の出力によりキセノンランプを点滅させ、その光を透光性ランプカバーから透過させて避難口の位置や避難方向を的確に知らせ、誘導を行うものである。したがって、煙等により避難口の誘導灯が確認しにくい、看板等で誘導灯との判別がつきにくい場合に有効となる。
【００２７】
音声ユニット１０は、スピーカ１９に接続されており、前記点滅表示部５と同様に、非常時に自動火災報知設備と連動し、バッテリ１８からの電力で音声ユニット１０の出力によりスピーカ１９から例えば、「非常口はこちらです」との音声誘導を行うもので、点滅表示部５のキセノンランプの点滅とともに、一層効果的な誘導を行うものである。
【００２８】
なお、点灯ユニット１１とこれに接続されたバッテリ１２、点滅ユニット１３とこれに接続されたバッテリ２０、音声ユニット１７とこれに接続されたバッテリ１８は、それぞれ配線長を短くするため近傍に配設されている。また、ケース本体２の下側壁面２３には、動作確認スイッチＳＷやバッテリの充電状態、光源の状態等を表示ランプで報知するモニターＭが設けられている。
【００２９】
以上のような構成において、電気部品を取付けるために電気部品取付シャーシ６が設けられているが、これには種々の目的がある。一例としては、表示体３を片面又は両面に取り付けられるようにし、ケース本体２を片面タイプと両面タイプに共通化する場合である。本実施形態のような片面タイプの誘導灯１においては、背面パネル２６を取外し、背面部にも表示体３を配設するようにすれば、両面タイプの誘導灯を構成できる。仮に、電気部品取付シャーシ６を設けることなく電気部品を背面パネル２６に取付ける場合には、ケース本体２の共通化は困難となる。
【００３０】
また、ケース本体が合成樹脂等の材料で形成される場合には、電気部品は熱を発生するため、ケース本体に直接電気部品を取付けることは、ケース本体が熱の影響を受け劣化する虞があり好ましくない。したがって、電気部品取付シャーシ６に電気部品を取付けるようにすることによって、これら問題を解消できる。
さらに、電気部品の取付作業性が容易となる等の効果が期待できる。
【００３１】
次に、誘導灯１の使用に際しては、天井面や壁面等の設置面に設置される。そして、電源を投入すると、ＬＥＤが点灯し、その光が導光板の入射面に入射し、入射した光が表示パネル３３を発光させ、誘導表示のピクトグラムが明示されるようになる。また、非常時には、バッテリ１２によりＬＥＤに電力を供給し、ピクトグラムを明示するとともに、点滅表示部５とスピーカ１９とにより、キセノンランプの点滅と音声で誘導を行うものである。
【００３２】
続いて、本実施形態の作用について図６を参照して説明する。誘導灯１の使用中においては、光源ユニット１０、点灯ユニット１１等の各ユニット及びバッテリ１２等から熱が発生し、これら電気部品の温度が上昇し、電気部品の短寿命化や特性劣化等を来たす虞がある。しかしながら、点滅表示部５と開口窓２３ａとの間には、通風口２３ｂが形成されているので、図示矢印で示すように、通風口２３ｂから空気が流入し、電気部品取付シャーシ６の背面側を対流し、図４及び図５に示すように、電気部品取付シャーシ６の切欠部６１やケース本体２との隙間から前面側へ流出するため、その間に電気部品は冷却され温度上昇を抑制することができる。また、この場合、電気部品取付シャーシ６の背面側は、比較的平坦であるため空気の流通が円滑に行われる。加えて、通風口２３ｂは、点滅表示部５と開口窓２３ａとの間の背面側に形成されているので、視覚的に目立つことが軽減される。
【００３３】
さらに、電気部品取付シャーシ６の略中央の領域は、表示体３と対向し、包囲手段である表示体３のリブ３２によって、囲まれるような状態になり、この領域は、外側の他の領域と区画され、空気の連通性が阻害されて、流れが悪くなり、熱がこもりやすい状態となる。加えて、電気部品を機能的に配置するため、電気部品が密集する状態となるため、中央の領域に配設された点灯ユニット１１及びバッテリ１２等の電気部品は、温度が上昇しやすい傾向となるが、この中央の領域に対応して通風口２３ｂが形成されているので、対流が効率的に作用し、温度上昇を効果的に抑制することができる。
【００３４】
なお、本実施形態の包囲手段は表示体３のリブ３２であるが、包囲手段としては、例えば、表示体３をケース本体２に取付けるためにケース本体２に設けられる枠部材等の場合もある。また、この包囲手段は、ケース本体２の背面側と表示体３の周縁部との間に介在されていればよく、例えば、表示体３に設けられたり、ケース本体２に設けられたり、あるいは表示体３とケース本体２との間に別部材として配置される場合であってもよい。要するに、包囲手段は、包囲手段によって囲まれる領域とその他の領域とを区画するように、これら領域間の連通性を阻害して、囲まれる領域に熱がこもるような状態に作用する手段である。
【００３５】
さらにまた、点灯ユニット１１とこれに接続されたバッテリ１２等、各ユニットとバッテリは、それぞれ近傍に配設されているので、配線長を短くすることができ、配線を引き回して配線長が長くなるのを防止できる。これによって、バッテリから各ユニットへ供給される電圧の変動を少なくすることができる。さらに、配線を引き回して配線長が長くなるのを防止できるので、配線長が長かったり、短かったりする混在を回避することができ、配線長の平均化が可能で各バッテリの寿命時期を略同一にすることが可能となる。
【００３６】
以上のように本実施形態によれば、電気部品取付シャーシ６に取付けられた電気部品の温度上昇を抑制することができる。また、包囲手段である表示体３のリブ３２によって、囲まれる領域の温度上昇を効果的に抑制することができ、点灯ユニット１１及びバッテリ１２を含む電気部品の温度上昇を抑制して信頼性を向上できる。さらに、点灯ユニット１１とこれに接続されたバッテリ１２等、各ユニットとバッテリは、近傍に配設されるので配線長を短くすることができ、配線を引き回して配線長が長くなるのを防止できる。
【００３７】
なお、例えば、点滅表示部５と開口窓２３ａとの間の前面側にも隙間が形成されるようにしてもよい。この場合には、空気が通風口２３ｂから電気部品取付シャーシ６の背面側を対流するとともに、前記隙間からも空気が流入し、電気部品の表面に直接的に対流が作用することとなる。
【００３８】
次に、本発明の第２の実施形態に係る誘導灯について図７及び図８を参照して説明する。図７は、誘導灯を示す斜視図、図８は、第１の実施形態の図２に相当する正面図、下側面図及び横側面図である。なお、第１の実施形態と同一又は相当部分には同一符号を付し、重複した説明は省略する。
【００３９】
本実施形態では、点滅形の誘導灯を示しており、非常時には、キセノンランプ等の点滅によって避難口の位置や避難方向を知らせ、誘導を行うものである。したがって、第１の実施形態とは、音声ユニットやスピーカが設けられていない点が異なるが、基本的構成は同一であり、構成部品が共通化されている。
【００４０】
具体的には、表示体３、光源ユニット１０、点灯ユニット１１、点灯ユニット１１に接続されたバッテリ１２、点滅表示部５が設けられた点滅ユニット１３、点滅ユニット１３に接続されたバッテリ２０、点滅表示部用電源ユニット１４、電源用端子台１５及び信号用端子台１６は、第１の実施形態に係る誘導灯に用いられたものと共通のものが用いられている。したがって、これら電気部品の配置関係も同様となって電気部品取付シャーシ６に取付けられている。
【００４１】
以上のように本実施形態によれば、第１に実施形態と同様に、電気部品取付シャーシ６に取付けられた電気部品の温度上昇を抑制することができ、また、包囲手段である表示体３のリブ３２によって、囲まれる領域の温度上昇を効果的に抑制することができる。さらに、点灯ユニット１１とこれに接続されたバッテリ１２、点滅ユニット１３とこれに接続されたバッテリ２０は、それぞれ近傍に配設されているので配線長を短くすることができ、配線を引き回して配線長が長くなるのを防止できる。
【００４２】
なお、本発明は、上記実施形態の構成に限定されることなく、発明の要旨を逸脱しない範囲で種々の変形が可能である。例えば、表示体を両面に設ける両面タイプの誘導灯にも適用可能である。また、電気部品取付シャーシには、電気部品の全てを取付ける必要はない。主として熱を発生する電気部品を取付けるようにするのが好ましい。
【符号の説明】
【００４３】
１・・・誘導灯、２・・・ケース本体、３・・・表示体、
５・・・点滅表示部、６・・・電気部品取付シャーシ、
１２、１８、２１・・・バッテリ、１３・・・点滅ユニット、
２１・・・開口部、２３・・・下側壁面、２３ａ・・・開口窓、
２３ｂ・・・通風口、３２・・・包囲手段（リブ）
【図１】
2010257724.tif 000003
【図２】
2010257724.tif 000004
【図３】
2010257724.tif 000005
【図４】
2010257724.tif 000006
【図５】
2010257724.tif 000007
【図６】
2010257724.tif 000008
【図７】
2010257724.tif 000009
【図８】
2010257724.tif 000010